(57)【要約】【課題】印刷媒体の印刷済み領域と未印刷領域とを識別可能にし、印刷済み領域に重ならないように印刷する。【解決手段】印刷用紙１０に埋め込まれた記憶素子１００に印刷を行うとき、印刷制御部２３が生成した印刷データに基づいて、マッピング処理部２５が印刷済み領域を示すマップ情報を生成する。そして、印刷データおよびマップ情報をプリンタ１へ送信し、印刷機構が印刷媒体１０へ印刷を行い、記憶素子リーダ／ライタ１５がマップ情報を記憶素子１００へ書き込む。この印刷用紙１０の余白に別の画像を印刷するときは、印刷を行う前に記憶素子リーダ／ライタ１５が記憶素子１００からマップ情報を読み出してメモリにマッピングし、未印刷領域を抽出して画像を印刷する。【選択図】　図１
2004058511.tif 000002
【特許請求の範囲】
【請求項１】
記憶素子を有する印刷媒体へ画像を印刷する印刷手段と、
前記印刷手段が前記印刷媒体に印刷をするとき、前記記憶素子の記憶内容を、前記印刷媒体に画像が印刷済みであることを示す状態へ更新する手段と、を備える印刷システム。
【請求項２】
前記更新手段は、前記印刷媒体が印刷済みであることを示す情報を、前記記憶素子へ書き込む請求項１記載の印刷システム。
【請求項３】
印刷媒体に画像を印刷するための印刷データを印刷装置へ送出する手段と、
前記印刷媒体が有する記憶素子の記憶内容を、前記印刷媒体に画像が印刷済みであることを示す状態へ更新するよう指示する手段と、を備える印刷データ送出装置。
【請求項４】
前記印刷データに基づいて前記印刷媒体に前記画像を印刷したときに、前記印刷媒体上で前記画像が占める領域を求める手段を、さらに備え、
前記指示手段は、前記印刷媒体上で前記画像が占める領域を示す情報を、前記記憶素子へ書き込むよう指示をする請求項３記載の印刷データ送出装置。
【請求項５】
前記印刷媒体には、所定の単位領域ごとに少なくとも一つずつ記憶素子が含まれていて、
前記印刷データに基づいて前記印刷媒体に前記画像を印刷したときに、前記印刷媒体上で前記画像が占める領域を求める手段と、
前記印刷媒体上で前記画像が占める領域の少なくとも一部が属する単位領域を抽出する手段と、をさらに備え、
前記指示手段は、前記抽出された単位領域に含まれている記憶素子の記憶内容を、印刷済みであることを示す状態へ更新するよう指示する請求項３記載の印刷データ送出装置。
【請求項６】
印刷媒体に含まれている記憶素子から、前記印刷媒体の印刷済み領域または未印刷領域を示す情報を読み出す手段と、
前記読み出された情報に基づいて、前記印刷媒体の未印刷領域を抽出する手段と、
印刷時の画像の大きさと前記未印刷領域とを比較して、前記画像の前記印刷媒体上の印刷位置を決定する手段と、
前記印刷媒体上の前記印刷位置に前記画像を印刷する印刷手段とを備える印刷システム。
【請求項７】
前記印刷媒体には、所定の単位領域ごとに少なくとも一つずつ記憶素子が含まれていて、
前記読み出し手段は、前記各記憶素子から、当該記憶素子が属する単位領域が印刷済みであるかを示す情報を読み出す請求項６記載の印刷システム。
【請求項８】
印刷媒体が有する記憶素子の記憶内容の読み出しを、印刷装置へ指示する手段と、
前記記憶素子から読み出された情報を受信する手段と、
前記記憶素子から読み出された情報に基づいて、前記印刷媒体の未印刷領域を特定する手段と、
前記特定された未印刷領域に画像を印刷するための印刷データを生成する手段と、
前記印刷データを印刷装置へ送出する手段と、を備える印刷データ送出装置。
【請求項９】
前記特定手段は、前記記憶素子から読み出された情報に基づいて、前記印刷媒体の複数の単位領域のうち、画像が印刷されていない未印刷の単位領域を特定し、
前記生成手段は、前記未印刷の単位領域に印刷するための印刷データを生成する請求項８記載の印刷データ送出装置。
【請求項１０】
コンピュータに実行されると、
印刷媒体に画像を印刷するための印刷データを印刷装置へ送出する処理と、
前記印刷媒体が有する記憶素子の記憶内容を、前記印刷媒体に画像が印刷済みであることを示す状態へ更新するよう指示する処理と、を行う印刷データ送出のためのコンピュータプログラム。
【請求項１１】
コンピュータに実行されると、
印刷媒体が有する記憶素子に記憶された情報を読み出すように指示をする処理と、
前記記憶素子から読み出された情報を受信し、読み出された情報に基づいて、前記印刷媒体の未印刷領域を特定する処理と、
前記特定された未印刷領域に印刷するための印刷データを生成する処理と、
前記印刷データを印刷装置へ送出する処理と、行う印刷データ送出のためのコンピュータプログラム。
【請求項１２】
記憶素子を有する印刷媒体であって、
所定の単位領域ごとに少なくとも一つずつ前記記憶素子を備えた印刷媒体。
【請求項１３】
前記記憶素子は、前記単位領域の一部または全部に画像が印刷済みであることを示す情報を格納するための領域を有する請求項１２記載の印刷媒体。
【発明の詳細な説明】
【０００１】
【発明の属する技術分野】
本発明は、記憶素子を有する印刷媒体へ印刷する技術に関し、特に記憶素子の記憶内容から印刷済み領域を知るための技術に関する。
【０００２】
【発明の背景】
写真などの画像を印刷用紙に印刷すると、画像を印刷したときのサイズが印刷用紙のサイズとぴったり一致することは珍しく、通常は、印刷用紙の一部が印刷されないまま余白となって残る。この余白が小さい場合はそれを活用することは困難であるが、その余白が他の画像を印刷することができる程度残されていれば、ユーザはそれを有効活用したいと考える。
【０００３】
しかしながら、印刷用紙のどこが余白で、どこに画像が印刷されているのかをプリンタ、またはプリンタのホスト装置が正確に把握しないと正しく印刷することができない。このため、従来は、印刷された部分を切断し、印刷されていない余白だけの印刷用紙を使って再度印刷を行うというようなことが行われていた。
【０００４】
本発明の目的は、印刷媒体の印刷済み領域と未印刷領域とを識別可能にするための技術を提供することである。
【０００５】
本発明の他の目的は、印刷媒体の印刷済み領域に重ならないように印刷するための技術を提供することである。
【０００６】
【課題を解決するための手段】
本発明の一つの実施形態に従う印刷システムは、記憶素子を有する印刷媒体へ画像を印刷する印刷手段と、前記印刷手段が前記印刷媒体に印刷をするとき、前記記憶素子の記憶内容を、前記印刷媒体に画像が印刷済みであることを示す状態へ更新する手段と、を備える。
【０００７】
好適な実施形態では、前記更新手段は、前記印刷媒体が印刷済みであることを示す情報を、前記記憶素子へ書き込む。
【０００８】
本発明の一つの実施形態に従う印刷データ送出装置は、印刷媒体に画像を印刷するための印刷データを印刷装置へ送出する手段と、前記印刷媒体が有する記憶素子の記憶内容を、前記印刷媒体に画像が印刷済みであることを示す状態へ更新するよう指示する手段と、を備える。
【０００９】
好適な実施形態では、印刷データ送出装置は、前記印刷データに基づいて前記印刷媒体に前記画像を印刷したときに、前記印刷媒体上で前記画像が占める領域を求める手段を、さらに備え、前記指示手段は、前記印刷媒体上で前記画像が占める領域を示す情報を、前記記憶素子へ書き込むよう指示をする。
【００１０】
好適な実施形態では、前記印刷媒体には、所定の単位領域ごとに少なくとも一つずつ記憶素子が含まれていて、前記印刷データに基づいて前記印刷媒体に前記画像を印刷したときに、前記印刷媒体上で前記画像が占める領域を求める手段と、前記印刷媒体上で前記画像が占める領域の少なくとも一部が属する単位領域を抽出する手段と、をさらに備え、前記指示手段は、前記抽出された単位領域に含まれている記憶素子の記憶内容を、印刷済みであることを示す状態へ更新するよう指示する。
【００１１】
本発明の一つの実施形態に従う印刷システムは、印刷媒体に含まれている記憶素子から、前記印刷媒体の印刷済み領域または未印刷領域を示す情報を読み出す手段と、前記読み出された情報に基づいて、前記印刷媒体の未印刷領域を抽出する手段と、印刷時の画像の大きさと前記未印刷領域とを比較して、前記画像の前記印刷媒体上の印刷位置を決定する手段と、前記印刷媒体上の前記印刷位置に前記画像を印刷する印刷手段とを備える。
【００１２】
好適な実施形態では、前記印刷媒体には、所定の単位領域ごとに少なくとも一つずつ記憶素子が含まれていて、前記読み出し手段は、前記各記憶素子から、当該記憶素子が属する単位領域が印刷済みであるかを示す情報を読み出す。
【００１３】
本発明の一つの実施形態に従う印刷データ送出装置は、印刷媒体が有する記憶素子の記憶内容の読み出しを、印刷装置へ指示する手段と、前記記憶素子から読み出された情報を受信する手段と、前記記憶素子から読み出された情報に基づいて、前記印刷媒体の未印刷領域を特定する手段と、前記特定された未印刷領域に画像を印刷するための印刷データを生成する手段と、前記印刷データを印刷装置へ送出する手段と、を備える。
【００１４】
好適な実施形態では、前記特定手段は、前記記憶素子から読み出された情報に基づいて、前記印刷媒体の複数の単位領域のうち、画像が印刷されていない未印刷の単位領域を特定し、前記生成手段は、前記未印刷の単位領域に印刷するための印刷データを生成する。
【００１５】
本発明の一つの実施形態に従う印刷媒体は、記憶素子を有し、所定の単位領域ごとに少なくとも一つずつ前記記憶素子を備えた印刷媒体。
【００１６】
好適な実施形態では、前記記憶素子は、前記単位領域の一部または全部に画像が印刷済みであることを示す情報を格納するための領域を有する。
【００１７】
【発明の実施の形態】
以下、本発明の実施形態について、図面を用いて説明する。
【００１８】
本発明を適用した一実施形態に係る印刷システムの構成を図１に示す。
【００１９】
本実施形態に係る印刷システムは、画像の印刷を行うプリンタ１とプリンタを制御するホスト装置２とを備える。本印刷システムは、記憶素子を有する印刷用紙などの印刷媒体に対して、印刷に関連する情報（特に、印刷済み領域を示す情報）を記憶素子に書き込んだり、記憶素子から読み出した情報に基づいて印刷制御を行うものである。
【００２０】
プリンタ１は、図示しない印刷ヘッド、キャリッジ、紙送り機構などを備え、実際に印刷を行う印刷機構１１と、印刷機構を制御する印刷機構制御部１２と、ホスト装置との間でデータの送受信を行うホストインタフェース１３とを備える。
【００２１】
印刷機構１１には、さらに、印刷用紙１０に組み込まれたＩＣなどの記憶素子１００に記憶されている情報を読み取り、記憶素子１００に情報を書き込む記憶素子リーダ／ライタ１５を備える。記憶素子リーダ／ライタ１５は、印刷機構１１の図示しないキャリッジ上の印刷ヘッドと共に搭載されるタイプと、後述する印刷用紙１０がプリンタ１に取り込まれて一時停止状態のとき、記憶素子１００と対向する場所にセットされるタイプとがある。
【００２２】
本実施形態に係るプリンタ１は、記憶素子１００を有する素子付きの印刷用紙１０に印刷することができる。この素子付き印刷用紙１０は、印刷用紙１０中に一つの記憶素子を備えるタイプ１と、印刷用紙１０中に複数の記憶素子を備えるタイプ２である。
【００２３】
タイプ１の印刷用紙は、例えば、図２に示すように矢印Ｂを給紙方向として、給紙方向の先端付近に記憶素子１００が埋設されている。記憶素子１００は、印刷用紙１０がプリンタに取り込まれ一時停止状態のとき、記憶素子リーダ／ライタ１５と対向する位置に配置される。なお、タイプ１は、以下に説明するタイプ２のように複数の記憶素子を備えた印刷用紙を用いて、一つの記憶素子のみを利用することにより実現することもできる。
【００２４】
タイプ２の印刷用紙は、複数の記憶素子１００（図中、符号は１カ所のみ示す）を備える。各記憶素子１００は、図３に示すよう、印刷面を複数の領域に分割して得られる単位領域４０（図中、符号は１カ所のみ示す）内に少なくとも一つ含まれるように配置される。この単位領域は、印刷面を仮想的に分割して得た領域であり、ホスト装置が印刷済み領域を管理する最小単位である（後述するように、単位領域はタイプ１の印刷用紙にも適用される）。単位領域のサイズは予め定められている。タイプ２の場合、プリンタの記憶素子リーダ／ライタ１５は、印刷ヘッドとともにキャリッジ上に搭載されていて、キャリッジ上を移動してすべての記憶素子に対して読み取りおよび書き込みを行う。
【００２５】
タイプ１およびタイプ２で共通して用いられる記憶素子１００は、非接触式の読み取り可能、または読み取りおよび書き込みが可能なタイプのものである。記憶素子１００は、極めて薄く、０．５ｍｍ程度の印刷用紙１０内に容易に埋め込むことができる。印刷用紙１０に埋め込まれている記憶素子１００は、図４に示すように、平面状コイル型アンテナ１０１と、金属被覆をエッチングして形成された共振用コンデンサ１０２と、ＩＣチップ１０３とがプラスティックフィルム上に実装され、その上を透明カバーシートで覆ったものである。
【００２６】
次に、記憶素子リーダ／ライタ１５と記憶素子１００の機能ブロック図を図５に示す。
【００２７】
記憶素子リーダ／ライタ１５は、アンテナコイル３０６と、制御部３０２に接続される送受信回路３０７とから構成されている。
【００２８】
制御部３０２がホスト装置２から記憶素子１００の読み取りあるいは書き込み指示を受けると、送受信回路３０７へ電力を供給する。送受信回路３０７は、これを受けて高周波信号を生成し、高周波信号がアンテナ３０６から出力される。また、アンテナ３０６が高周波信号を受信すると、送受信回路３０７が適切な信号に変換して制御部３０２へ通知する。
【００２９】
ＩＣチップ１０３は、ＮＡＮＤ型フラッシュＲＯＭ等の電気的に読み書き可能なメモリ１０７と、このメモリ１０７へのデータの書き込み及び読出しを行う制御部１０６と、メモリ１０７から読み出したデータを信号化する一方で、アンテナ１０１が受信した記憶素子リーダ／ライタ１５からの信号を解釈する信号解析部ＲＦ（ＲａｄｉｏＦｒｅｑｕｅｎｃｙ）１０５と、アンテナ１０１が受信した高周波信号を整流化し、この高周波信号を直流電源電流として制御部１０６等に供給する整流器１０４と、を有している。この記憶素子１００のメモリ１０７には、印刷用紙のＩＤが記憶されている。さらに、メモリ１０７は、印刷用紙１０に印刷を行った日時を示す情報を記憶するための領域を備える。
【００３０】
アンテナ１０１は、記憶素子リーダ／ライタ１５からの高周波信号を受信すると、整流器１０４が高周波信号を直流電流に変換し、制御部１０６へ供給する。ここで、読み取り指示の場合、制御部１０６は、この直流電流を駆動電流として、メモリ１０７から印刷用紙ＩＤを読み取り、信号解析部ＲＦ１０５に与える。信号解析部ＲＦ１０５は、印刷用紙ＩＤを送信信号に変換して、アンテナ１０１から信号を発信する。一方、書き込み指示の場合は、信号解析部ＲＦ１０５が、アンテナ１０１が受信した信号を解釈し、印刷日時を示す情報を制御部１０６へ渡す。制御部１０６は、直流電流を駆動電流として、メモリ１０７へ印刷日時を示す情報を書き込む。
【００３１】
記憶素子１００は、全体としてごく小型かつ薄型で、片面に粘着性を持たせてシールとして対象物に貼着させるタイプの、メモリタグなどと呼ばれるものと置き換えられても良い。
【００３２】
再び図１を参照すると、記憶素子リーダ／ライタ１５は、ホスト装置２からの指示に基づいて、記憶素子１００の記憶内容を更新する。例えば、記憶素子リーダ／ライタ１５は、上述のようにして記憶素子１００に所定の情報を書き込んだり、記憶素子１００に記憶されている情報を読み込み、ホストインタフェース１３を介して、その情報をホスト装置２へ送信する。
【００３３】
本実施形態では、記憶素子１００は、印刷済み領域を示す情報を記憶する領域を有する。例えば、タイプ１の印刷用紙１０が備える記憶素子１００には、図６に示すような印刷済み領域を示すマップ情報２０が格納される。マップ情報２０は、印刷用紙１０上に印刷された画像３０が占める領域を示すものである。例えば、印刷用紙の印刷面の各単位領域４０と対応するマップ上の単位領域２１にユニークな領域番号を割り当てる。例えば、領域番号は行列のように［ｉ，ｊ］で表す。そして、各単位領域２１が印刷済みであるときは“１”、未印刷であるときは“０”として、図６（ｂ）に示すようにマップ情報２０を記憶素子１００に記憶する。この場合、図６の例では、マップ情報は［１，１］＝０、［１，２］＝０、…、［２，１］＝０、［２，２］＝１、…、［３，１］＝０、［３，２］＝１、…となる。また、画像３０が矩形である場合は、対角に位置する２頂点（例えば図６のＢおよびＣ）の座標をマップ情報２０として記憶してもよい。一つの印刷用紙１０に複数の画像が印刷されている場合、記憶素子１００は各画像ごとにマップ領域を記憶する。
【００３４】
ここで、印刷済み領域は、その単位領域のすべてに画像が印刷されているものの他、その単位領域の一部に画像が印刷されているものも含む。従って、図６の例では、ドットＡが付されている単位領域が印刷済み領域である。
【００３５】
タイプ２の印刷用紙１０では、単位領域４０ごとに少なくとも一つの記憶素子１００が含まれているので、例えば、画像３０が印刷された印刷済み領域の記憶素子１００の印刷済みフラグ記憶領域にフラグを立て、マップ情報を構成する。図７に示す例では、印刷済みフラグを立てられている印刷済み領域の記憶素子１００を「■」で表現している。このため、すべての単位領域の記憶素子から、印刷済みフラグの状態を読み出すことで、印刷済み領域および未印刷領域をそれぞれ特定することができる。タイプ２の印刷用紙１０は、印刷用紙の一部に印刷され、その部分が切り離されてしまったようなときでも、残余の印刷用紙を使って切り離し前と同様に印刷することができる。
【００３６】
再度図１を参照して、説明を続ける。ホスト装置２は、例えば汎用的なコンピュータシステムにより構成され、以下に説明する個々の構成要素または機能は、例えば、コンピュータプログラムを実行することにより実現される。
【００３７】
ホスト装置２は、内部機能として、図示しないフレキシブルディスクドライブやＣＤ−ＲＯＭドライブなどのデバイスとデータ送受信を行うデバイスインタフェース２１と、デバイスインタフェース２１が受信した画像データを、必要に応じて編集し、その画像の印刷指示をするアプリケーションプログラム（ＡＰ）２２と、ＡＰ２２から印刷指示があった画像データをプリンタ１が印刷を実行するための印刷データに変換し、プリンタ１を制御してこの印刷データの印刷を実行させる印刷制御部２３と、印刷用紙の印刷済み領域を展開するためのメモリ２４と、印刷用紙の印刷済み領域をメモリ２４へマッピングするマッピング処理部２５と、プリンタ１との間でデータの送受信を行うプリンタインタフェース２６と、を備える。
【００３８】
デバイスインタフェース２１は、図示しないデバイスがフレキシブルディスクやＣＤ−ＲＯＭから読み込んだ画像データを受信する。デバイスインタフェース２１は、例えば、ネットワークとデータ送受信を行うネットワークインタフェースと置き換えられても良い。この場合、画像データはネットワーク経由で取得する。
【００３９】
印刷制御部２３は、ＡＰ２２から印刷要求と画像データとを受け付ける。印刷制御部２３が印刷要求を受け付けると、まず、プリンタ１へ記憶素子１００の情報の読み出し指示をする。ここで、既に印刷されている印刷用紙１０の場合は、記憶素子１００に上述のような印刷済み領域を示すマップ情報が記憶されている。印刷されていない印刷用紙１０の場合は、記憶素子１００にマップ情報は記憶されていない。
【００４０】
プリンタからマップ情報を取得すると、マッピング処理部２５が、マップ情報に含まれている印刷済みの単位領域の領域番号に基づいてマップ情報をメモリ２４へ展開する。なお、記憶素子にマップ情報が記憶されていなかったときのように、マップ情報を取得できなかったときは、印刷用紙の全印刷面が未印刷領域となる。
【００４１】
さらに、マッピング処理部２５は、印刷制御部２３が生成した印刷データに基づいて、この印刷データに従ってプリンタが印刷することにより新たに印刷済み領域となる単位領域を抽出して、新たなマップ情報を生成する。
【００４２】
この結果、印刷制御部２３は、メモリ２４を参照することにより、未印刷領域を抽出することができる。そして、印刷制御部２３は、印刷要求を受けた画像を未印刷領域に印刷することができるかどうかを判定する。例えば、印刷する画像が矩形である場合、画像データに基づいて、印刷したときの画像の大きさ（縦、横の長さ）を算出し、未印刷領域に収まるかどうかを判定する。印刷可能であるときは、印刷制御部２３は、印刷済み領域を避けて印刷するように印刷位置を決定し、画像データを展開して印刷データを生成する。
【００４３】
なお、印刷用紙１０に何も印刷されていない場合は、印刷面の全面が未印刷領域であるので、印刷制御部２３は、通常の印刷と同様に画像データを展開し、印刷データを生成する。
【００４４】
未印刷領域に印刷可能な場合、印刷制御部２３は画像を印刷する位置を決定して、画像データに基づいて印刷データを生成し、これをプリンタ１へ送出して印刷を実行させる。
【００４５】
次に、図８に示すフローチャートを参照して、本システムの処理手順について説明する。
【００４６】
まず、本システムのユーザなどの指示に基づいて、ＡＰ２２が印刷制御部２３へ画像の印刷要求をする（Ｓ１１）。印刷要求を受け付けると、印刷制御部２３は、プリンタ１へ記憶素子１００の読み出し指示をする（Ｓ１２）。
【００４７】
プリンタでは、印刷機構制御部１２がこの読み出し指示を受け、記憶素子リーダ／ライタ１５に記憶素子の読み出しを指示し、記憶素子リーダ／ライタ１５が記憶素子１００に記憶されているマップ情報を読み出す（Ｓ２１）。例えば、タイプ１の印刷用紙であれば、一つの記憶素子にマップ情報が記憶されているので、記憶素子リーダ／ライタ１５はそれを読み出せばよい。また、タイプ２の印刷用紙であれば、記憶素子リーダ／ライタ１５は、各記憶素子から印刷済みフラグのを読み出し、各フラグのオン／オフによってマップ情報が構成される。ここで読み出されたマップ情報は、ホスト装置２へ通知される。
【００４８】
ホスト装置２では、マッピング処理部２５がマップ情報を取得して、メモリ２４にマッピングする（Ｓ１３）。印刷制御部２３は、メモリ２４を参照して未印刷領域を特定し、印刷要求を受けた画像がそこに印刷可能であるかどうかを判定する（Ｓ１４）。印刷可能である場合（Ｓ１４：Ｙｅｓ）、印刷制御部２３は、未印刷領域に画像を印刷するための印刷データを生成して、プリンタインタフェース２６を介してプリンタ１へ送出する（Ｓ１５）。
【００４９】
プリンタ１は、この印刷データを受信して、印刷を実行する（Ｓ２２）。
【００５０】
そして、マッピング処理部２５が、この印刷データを印刷することによって新たに印刷される領域が属する単位領域を特定し、その単位領域番号を新たなマップ情報としてプリンタ１へ送出する（Ｓ１６）。
【００５１】
新たなマップ情報を受信すると、記憶素子リーダ／ライタ１５が、このマップ情報を記憶素子１００に書き込む（Ｓ２３）。例えば、記憶素子リーダ／ライタ１５は、印刷用紙がタイプ１であれば記憶素子に新たなマップ情報を追加して書き込み、タイプ２であれば新たに印刷済み領域となる単位領域の記憶素子の印刷済みフラグをオンにする。
【００５２】
本実施形態によれば、印刷用紙に既に印刷されている領域を示す情報を保持することができる。この結果、印刷時にこの情報を読み出せば、既に印刷済みの領域を回避して印刷することができる。
【００５３】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【図１】本発明を適用した一実施形態に係る印刷システムの構成を示す図である。
【図２】記憶素子付き印刷用紙（タイプ１）の斜視図である。
【図３】記憶素子付き印刷用紙（タイプ２）の斜視図である。
【図４】記憶素子の平面図である。
【図５】記憶素子と記憶素子読み書き部の構成を示す回路図である。
【図６】印刷用紙（タイプ１）の記憶素子に記憶されるマップ情報を説明するための図である。
【図７】印刷用紙（タイプ２）の記憶素子に記憶されるマップ情報を説明するための図である。
【図８】印刷時の処理手順を示すフローチャートである。
【符号の説明】
１…プリンタ
２…ホスト装置
１０…印刷用紙
１５…記憶素子リーダ／ライタ
２３…印刷制御部
２４…メモリ
２５…マッピング処理部
３０…画像
４０…単位領域
１００…記憶素子
【図１】
2004058511.tif 000003
【図２】
2004058511.tif 000004
【図３】
2004058511.tif 000005
【図４】
2004058511.tif 000006
【図５】
2004058511.tif 000007
【図６】
2004058511.tif 000008
【図７】
2004058511.tif 000009
【図８】
2004058511.tif 000010